(57)【特許請求の範囲】
【請求項１】
板状の透明板の表面に、太陽光の透過量を減衰するためのもので複数の通孔が形成されたペーパー状部材を配置する第１の工程と、
前記ペーパー状部材に対し前記透明板とは反対側から赤外線及び／又は紫外線を遮蔽若しくは抑制する機能を備える薬液を供給する第２の工程と、
前記薬液を固体化させて前記ペーパー状部材と前記透明板とを接着させる第３の工程とを経ることにより、
前記透明板に赤外線及び／又は紫外線を遮蔽若しくは抑制する機能を少なくとも備えた対太陽光層が配された対太陽光部材と成すことを特徴とする対太陽光部材の形成方法。
【発明の詳細な説明】
【技術分野】
【０００１】
この発明は、太陽光（日射とも称する。以下同じ。）が当たる場所に配置されることで、太陽光の透過量の減衰、特に太陽光の赤外線、紫外線を遮断・抑制することが可能な対太陽光層を有する対太陽光部材を形成する方法に関する。
【背景技術】
【０００２】
スーパーマーケットやデパートメント等の建造物で食品売り場が入っている場合に、当該建造物の側壁や天井等の開口部に透明窓ガラスや透明樹脂板等が装着されているときには、透明窓ガラスや透明樹脂板等を透過してきた太陽光が売り場に陳列された食品、特に野菜、果実や魚介類等の生鮮食品に当たると、これらの生鮮食品が温められる等して生鮮食品の痛みが早くなるという不具合がある。
【０００３】
このような建造物の側壁や天井等の開口部に透明窓ガラスや透明樹脂板等が装着されていることによる不具合は、太陽光による日焼けで色あせする衣類等の商品が陳列された売り場等でも同様に生ずる。
【０００４】
これらの不具合を解消する手段としては、透明窓ガラスや透明樹脂板等に代えて、例えば特許文献１や特許文献２に示されるような、太陽光の赤外線や紫外線を遮蔽することが可能なＵＶ（紫外線）カット窓ガラスや、ＩＲ（赤外線）カット窓ガラスを用いることが考えられる。
【０００５】
また、既に建造物の側壁や天井の開口部に取り付けられた透明窓ガラスの表面に対して、例えば特許文献３に示されるような、熱線吸収剤を主成分とする熱線コーティング剤を塗布することも考えられる。
【先行技術文献】
【特許文献】
【０００６】
【特許文献１】特開２００２−３４８１４５号公報
【特許文献２】特開２０１１−１１６５８８号公報
【特許文献３】特開２００８−２４７６２３号公報
【発明の概要】
【発明が解決しようとする課題】
【０００７】
しかしながら、特許文献１に示されるようなＵＶカット窓ガラスや、特許文献２に示されるようなＩＲカット窓ガラスを用いる場合には、建造物の建設時に最初からＵＶカット窓ガラスやＩＲカット窓ガラスを装着するのであれば良いが、既存の建造物にあっては、建造物の側壁や天井に取り付けられた透明ガラスからＵＶカット窓ガラスやＩＲカット窓ガラスに交換しなければならず、窓ガラスの交換作業が煩雑で、また高コストであるという不都合が生じ、且つ透明窓ガラスを廃棄する場合には資源の無駄も生ずる。このような不都合は曇りガラスを用いる場合にも生ずる。
【０００８】
これに対し、既に建造物の側壁や天井の開口部に装着された透明窓ガラスの表面に対し、例えば特許文献３に示されるような熱線吸収剤を主成分とするコーティング剤を塗布する手段を用いた場合には、上記の不都合は生じないものの、透明窓ガラスの表面にこれらのコーティング剤を均一に塗布することは熟練の者でなければ容易ではなく、透明窓ガラスに塗布されたコーティング剤から成る層が不均一であると見映えが悪くなる。また、塗布されたコーティング剤から成る層の厚みにより、コーティング剤から成る層の性能もバラツキが生じ、安定しないという問題が生ずる。
【０００９】
更に、建造物の側壁や天井の開口部に装着された透明窓ガラスの補強やかかる透明窓ガラスが仮に割れても飛散するのを防止することも、近年における震災等の経験から強く望まれるようになってきている。
【００１０】
そこで、本発明は、太陽光の透過量を減衰し、特に太陽光の赤外線や紫外線を遮断若しくは抑制し、更に建造物の側壁や天井の開口部に装着された透明板の補強及び透明板の破損時における飛散防止も図り、透明板に対太陽光層を形成する時に熟練の者でなくても対太陽光層の厚さを均一にすることが可能な対太陽光部材を形成する方法を提供することを目的とする。
【課題を解決するための手段】
【００１１】
この発明に係る対太陽光部材の形成方法は、板状の透明板の表面に、太陽光の透過量を減衰するためのもので複数の通孔が形成されたペーパー状部材を配置する第１の工程と、前記ペーパー状部材に対し前記透明板とは反対側から赤外線及び／又は紫外線を遮蔽若しくは抑制する機能を備える薬液を供給する第２の工程と、前記薬液を固体化させて前記ペーパー状部材と前記透明板とを接着させる第３の工程とを経ることにより、前記透明板に赤外線及び／又は紫外線を遮蔽若しくは抑制する機能を少なくとも備えた対太陽光層が配された対太陽光部材と成すことを特徴としている（請求項１）。ここで、透明板の素材には、透明ガラスや、透明なアクリル樹脂材・その他の透明樹脂材等が挙げられ、透明板の透明には無色透明と有色透明とが含まれ、透明板は専ら建造物の側壁や天井の開口部に装着される窓ガラスや窓材として用いられる。また、透明板として透明ガラスを採択するにあたり、対太陽光層が紫外線を遮断し若しくは抑制するためのものである場合には、透明ガラス自体に赤外線の遮断若しくは抑制効果を持たせても良く、また、反対に、対太陽光層が赤外線を遮断若しくは抑制するためのものである場合には、透明ガラス自体に紫外線の遮断若しくは抑制効果を持たせても良い。この方法で用いられるペーパー状部材は、ガラス繊維、炭素繊維、金属繊維又は高強度繊維から成る織布、編布、又は不織布で構成されている。もっとも、太陽光の透過量を無くす場合には、ペーパー状部材は肉厚が相対的に薄い金属箔で構成されているものとしても良く、更に、ペーパー状部材が金属箔で構成されている場合には、当該金属体の素材としては例えばアルミニウム等が挙げられる。また、紫外線を遮蔽若しくは抑制する機能を「少なくとも」備えた対太陽光層としたのは、この対太陽光層が透明板の表面に配置されることにより透明板の飛散防止機能も備え得ることによるものである。
【００１２】
これにより、作業現場で上記した第１の工程から第３の工程を経ることによって、建造物の側壁や天井の開口部に配置された既存の透明板の表面に、赤外線及び／又は紫外線を遮蔽若しくは抑制する機能を備えた対太陽光層を施工することが可能であるので、窓ガラスの交換等を不要とする。しかも、赤外線及び／又は紫外線を遮蔽する機能を備えた薬液のペーパー状部材への供給量を調整したり、ペーパー状部材の厚みを変えたりすることにより、対太陽光層の厚みを調整し、ひいては太陽光の透過量や太陽光の赤外線及び／又は紫外線の吸収率を調整することも可能である。
【００１３】
そして、この発明に係る対太陽光部材の形成方法により形成された対太陽光部材は、可視光の透過量を減衰するペーパー状部材を有するので、建造物の側壁や天井の開口部に該対太陽光部材を配置することにより、防眩効果や、目隠し効果や、日陰効果を得ることができる。また、この発明に係る対太陽光部材は、ペーパー状部材に赤外線及び／又は紫外線を遮蔽若しくは抑制する機能を備える薬液が含まれているので、赤外線及び／又は紫外線を遮蔽若しくは抑制する効果も得ることができる。しかも、ペーパー状部材に薬液が含まれることにより、ペーパー状部材がグラスファイバーやグラスウール等の紫外線による劣化の著しい素材で形成されていてもその素材自体の劣化の防止を図ることができる。更に、この発明に係る対太陽光部材は、透明板の室外側又は室内側の表面をペーパー状部材が覆う構成となっているので、透明板の強度を補強することができ、仮に透明板が破壊されても、ペーパー状部材が透明板を覆っているので、透明板が飛散するのを防止することが可能である。
【発明の効果】
【００１４】
以上のように、この発明に係る対太陽光部材の形成方法によれば、作業現場で、建造物の側壁や天井の開口部に配置された既存の透明板の表面に、赤外線及び／又は紫外線を遮蔽若しくは抑制する機能を備えた対太陽光層を施工することが可能であるので、窓ガラスの交換等を不要とする。また、赤外線及び／又は紫外線を遮蔽する機能を備えた薬液のペーパー状部材への供給量を調整することや、ペーパー状部材の厚みを変えることにより、対太陽光層の厚みを調整し、ひいては太陽光の透過量や吸収率を調整することもできるため、熟練者でなくても、赤外線及び／又は紫外線を遮蔽する機能を備えた薬液のペーパー状部材への供給量を調整することや、ペーパー状部材の厚みを変えることにより、対太陽光層の厚みを調整し得るので、均一な性能を有する塗膜状の太陽光層を安定的に形成するという従来では熟練を要した作業を、簡単に行うことが可能となる。
【００１５】
そして、この発明に係る対太陽光部材の形成方法により形成された対太陽光部材は、太陽光の透過量を減衰するペーパー状部材を有するので、建造物の側壁や天井の開口部に対太陽光部材を配置することにより、防眩効果や、目隠し効果や、日陰効果を得ることができる。また、請求項１に記載の発明によれば、対太陽光部材は、ペーパー状部材に赤外線及び／又は紫外線を遮蔽若しくは抑制する機能を備える薬液が含まれているので、赤外線及び／又は紫外線を遮蔽若しくは抑制する効果も得ることができる。しかも、ペーパー状部材に薬液が含まれることにより、ペーパー状部材がグラスファイバーやグラスウール等の紫外線による劣化の著しい素材で形成されていてもその素材自体の劣化の防止を図ることもできる。更に、請求項１に記載の発明によれば、対太陽光部材は、透明板の室外側又は室内側の表面をペーパー状部材が覆う構成となっているので、透明板の強度を補強することができ、仮に透明板が破壊されても、ペーパー状部材が透明板を覆っているので、透明板が飛散することも防止することが可能である。
【図面の簡単な説明】
【００１６】
【図１】図１（ａ）は、この発明に係る対太陽光部材の実施例１の構成例の概略を示す説明図、図１（ｂ）は前記太陽光部材の概略の拡大断面図である。
【図２】図２（ａ）は、所定の厚みの板ガラスの室外側面に対太陽光層を施工して対太陽光部材とした場合における太陽光の透過率、反射率及び吸収率の割合を示す説明図であり、図２（ｂ）は、太陽光の波長との関係における太陽光の分光の透過率を示す特性線図である。
【図３】図３は、可視光の対太陽光部材に対する透過、吸収、反射の態様を説明し、赤外線の対太陽光部材に対する吸収、反射の態様を説明すると共に、紫外線の対太陽光部材に対する透過、吸収、反射の態様を説明した概略図である。
【図４】図４（ａ）は、この発明に係る対太陽光部材の実施例２の構成例の概略を示す説明図、図４（ｂ）は前記太陽光部材の概略の拡大断面図である。
【図５】図５（ａ）は、所定の厚みの板ガラスの室内側面に対太陽光層を施工して対太陽光部材とした場合における太陽光の透過率、反射率及び吸収率の割合を示す説明図であり、図５（ｂ）は、太陽光の波長との関係における太陽光の分光の透過率を示す特性線図である。
【図６】図６は、透明板の表面に対太陽光層を形成する過程の一例を示した工程図である。
【図７】図７は、同上の工程図において、透明板に装着されたペーパー状部材に薬液が着いたローラを回転させながら押し付けて、ペーパー状部材に薬液を供給する過程の一例を示した概略図である。
【発明を実施するための形態】
【００１７】
以下、この発明の実施形態について、添付図面を参照しながら説明する。
【実施例１】
【００１８】
図１及び図２において、この発明に係る対太陽光部材１の実施例１の構成例が示されている。この実施例１に係る対太陽光部材１は、図１に示されるように、完成した状態では、室内側と室外側とを仕切る透明板２及びこの透明板２に対して室外側に施工された対太陽光層３とで基本的に構成されている。
【００１９】
このうち、透明板２は、本実施例では例えば厚さ３ｍｍのフロート板ガラス等の公知の透明ガラスであり、更には建造物の側壁や天井の開口部に既に装着されたものである。そして、透明板２が上記のように厚さ３ｍｍのフロート板ガラスである場合には、その光学性能として、太陽光透過率の平均値は約８６％、太陽光反射率の平均値は約８％となっている。もっとも、透明板２について、透明ガラスの代わりにアクリル等の透明樹脂材で形成しても良い。
【００２０】
尚、この透明板２が赤外線を遮蔽する機能を有するが紫外線を遮蔽又は抑制する機能を有しない場合には、下記する対太陽光層３は紫外線を遮蔽し又は抑制する機能のみを有するものとしたり、反対に透明板２が紫外線を遮蔽する機能を有するが赤外線を遮蔽又は抑制する機能を有しない場合には、下記する対太陽光層３は赤外線を遮蔽し又は抑制する機能のみを有するものとしたりしても良い。
【００２１】
対太陽光層３は、この実施例１では薬液３２が含浸されたペーパー状部材３１で構成されている。
【００２２】
ペーパー状部材３１は、例えばガラス繊維で成る不織布で構成され、厚みが相対的に薄いペーパー状のものであり、ガラス繊維が不規則に重なり合うことにより多数の貫通孔が不規則に形成された状態となっている。そして、ペーパー状部材３１自体の厚さＬ１は、例えば１５μｍであると共に、ペーパー状部材３１自体の１ｍ２あたりの重量は例えば２５ｇ／ｍ２となっている。
【００２３】
もっとも、ペーパー状部材３１について、ガラス繊維の替わりに炭素繊維、金属繊維、又は高強度繊維で成る不織布としても良い。更には、ペーパー状部材が不織布の替わりに織布や編布で構成されるものとしても良い。このような織布や編布で構成されるようにしても、ガラス繊維や炭素繊維や金属繊維や高強度繊維が所定の間隔を空けつつ規則正しく重なり合うことにより、多数の貫通孔が規則的に並ぶかたちで形成された状態となる。
【００２４】
薬液３２は、時間の推移により流体状から固体状に変化するもので、少なくとも固体状になった際には透明なものとなり、且つ、赤外線又は紫外線、或いは赤外線と紫外線との双方を吸収する性質を有している。更には、薬液３２が固体状になった際には、２つの部材同士、例えばペーパー状部材３２と透明板２とを接着する機能も有する。尚、この実施例では、例えば「スマートコートＳＦ」という品番の薬液が用いられる。
【００２５】
このような構成の対太陽光層３を透明板２の室外側の表面（建物の屋外となる外側面）に施工して対太陽光部材１を形成した際には、例えば透明板２を厚さが３ｍｍのフロート板ガラスとし、実験した太陽光の波長範囲について０μｍから２５μｍの範囲とした場合には、図２（ａ）の矢印Ｉ、II，IIIに示されるように、太陽光透過率Ｉの平均値は約６６％、太陽光反射率IIの平均は約１０％、太陽光吸収率IIIの平均値は約２４％となるという実験結果が得られている。
【００２６】
すなわち、図２（ｂ）に示されるように、厚さが３ｍｍのフロート板ガラス単体では太陽光透過率の平均値が上記のように約８６％であるのに対し、対太陽光部材１を透明板２の室外側の面に施工した場合では上記したように、太陽光透過率の平均値が約６６％であるから、本発明に係る対太陽光部材１を透明板２の室外側の面に施工することにより、太陽光透過率を相対的に下げることが可能となり、日陰効果を得ることができる。
【００２７】
しかも、対太陽光層３を構成するペーパー状部材３１についてグラスファイバーやグラスウールという太陽光の透過性を有しつつガラス繊維が不規則に組み合わされた素材を用いた場合には、図３の上段に示されるように、可視光はその一部が対太陽光層３の表面で反射され、その一部が対太陽光層３で吸収され、その一部が対太陽光層３を透過するものの、対太陽光層３を透過する可視光は対太陽光層３内及び対太陽光層３から透明板２に出る際に乱反射するので、対太陽光部材１から透明板２を経て透過してきた太陽光を見ても眩しくなく、対太陽光部材１について防眩効果も得るこができる。
【００２８】
また、ペーパー状部材３１に対し薬液３２を含浸させるので、ペーパー状部材３１がグラスウールやグラスファイバー等の紫外線による劣化の著しい素材で構成されている場合であっても、グラスウールやグラスファイバーという素材自体の劣化を防止することができ、対太陽光部材１としても長期に用いることが可能である。このため、実施例１に示されるように透明板２の室外側に対太陽光層３を施工する場合には、対太陽光層３が直接的に紫外線を浴びるので、従来品に対し有意義かつ有利な機能や効果となる。
【００２９】
そして、ペーパー状部材３１に紫外線を遮蔽又は抑制する薬液３２が含浸されて対太陽光層３を成している場合には、図３の中段に示されるように、紫外線の一部は対太陽光層３の表面で反射し、紫外線の一部は対太陽光層３内で吸収されるので、紫外線が対太陽光層３を透過して透明板２に至ることが防止され、紫外線の遮断効果を十分に得られる。
【００３０】
更に、ペーパー状部材３１に赤外線を遮蔽又は抑制する薬液３２が含浸されて対太陽光層３を成している場合には、図３の下段に示されるように、赤外線の一部が対太陽光層３の表面で反射され、赤外線の一部が対太陽光層３で吸収されて、赤外線の一部のみが対太陽光層３を透過するので、赤外線の遮断又は抑制効果を十分に得られる。
【実施例２】
【００３１】
図４及び図５において、この発明に係る対太陽光部材１の実施例２の構成例が示されている。以下、図４及び図５を用いて実施例２に係る対太陽光部材１について説明する。
【００３２】
この実施例２に係る対太陽光部材１は、図４に示されるように、完成した状態では、実施例１と同様に室内側と室外側とを仕切る透明板２と、この透明板２に対して実施例１とは反対に室内側に施工された対太陽光層３とで基本的に構成されている。もっとも、透明板２や対太陽光層３の構成、ひいては対太陽光層が薬液３２の含浸されたペーパー状部材３１で構成されている点等についての説明は先の実施例１と同様であるので、その説明は省略する。
【００３３】
実施例２に係る対太陽光層３を透明板２の室内側の表面（建物の屋内となる内側面）に施工して対太陽光部材１を形成した際には、例えば透明板２を厚さが３ｍｍのフロート板ガラスとし、実験した太陽光の波長範囲について０μｍから２５μｍの範囲とした場合には、図５（ａ）の矢印Ｉ、II，IIIに示されるように、太陽光透過率Ｉの平均値は約５９％、太陽光反射率IIの平均は約１５％、太陽光吸収率IIIの平均値は約２６％となるという実験結果が得られている。
【００３４】
すなわち、図５（ｂ）に示されるように、厚さが３ｍｍのフロート板ガラス単体では太陽光透過率の平均値が上記のように約８６％であるのに対し、対太陽光層３を透明板２の室内側の表面に施工した場合では上記したように、太陽光透過率の平均値が約５９％であるから、本発明に係る対太陽光層３を透明板２の室内側の面に施工して対太陽光部材１を形成することにより、太陽光透過率を相対的に下げることが可能となり、日陰効果を得ることができる。
【００３５】
そして、対太陽光層３を透明板２の室内側の表面に施工したことにより、室外側から対太陽光部材１に入射した太陽光について、透明板２の表面で反射し、更に対太陽光層３の透明板２との境界面で反射させることができるので（２回も反射させることができるので）、図２（ａ）では太陽光の透過率Ｉの平均値が６６％であるのに対し、図５（ａ）では太陽光の透過率Ｉの平均値が５９％と、より下がっており、対太陽光層３を透明板２の室外側の表面に施工した場合よりも、太陽光の透過量をより減衰させ、より良い日陰効果を得ることが可能となっている。
【００３６】
しかも、対太陽光層３を構成するペーパー状部材３１についてグラスファイバーやグラスウールという太陽光の透過性を有しつつガラス繊維が不規則に組み合わされた素材を用いた場合には、図示しないが、透明板２を透過して対太陽光層３に向かった可視光の一部は、透明板２と対太陽光層３との境界となる面で反射し、その一部が対太陽光層３内で吸収され、その一部が対太陽光層３を透過するものの、対太陽光層３を透過する可視光は対太陽光層３内及び室内側の空間に出る際に乱反射するので、透明板２から対太陽光部材１を経て透過してきた太陽光を見ても眩しくなく、対太陽光部材１について防眩効果も得るこができる。
【００３７】
また、実施例２に係る対太陽光層３でも、ペーパー状部材３１に対し薬液３２を含浸させるので、ペーパー状部材３１がグラスウールやグラスファイバー等の紫外線による劣化の著しい素材で構成されている場合であっても、グラスウールやグラスファイバーという素材自体の劣化を防止することができ、対太陽光部材１としても長期に用いることが可能である。
【００３８】
そして、ペーパー状部材３１に紫外線を遮蔽又は抑制する薬液３２が含浸されて対太陽光層３を成している場合には、図示しないが、透明板２を透過してきた紫外線の一部は対太陽光層３の透明板２との境界の面で反射され、透明板２を透過してきた紫外線の一部は対太陽光層３内で吸収されるため、紫外線が透明板２を透過して対太陽光層３に向かっても対太陽光層３を透過して室内側まで至ることは防止されるので、紫外線の遮断効果を十分に得られる。
【００３９】
更に、ペーパー状部材３１に赤外線を遮蔽又は抑制する薬液３２が含浸されて対太陽光層３を成している場合には、図示しないが、透明板２を透過してきた赤外線の一部が対太陽光層３の透明板２との境界の面で反射され、透明板２を透過してきた赤外線の一部が対太陽光層３で吸収されて、透明板２を透過してきた赤外線の一部のみが対太陽光層３を透過するため、赤外線が透明板２を透過して対太陽光層３に至るとしても赤外線の遮断又は抑制効果を十分に得られる。
【００４０】
次に、対太陽光部材１の形成方法の一例について図６及び図７を用いて説明する。尚、対太陽光部材１の形成方法は、透明板２の室外側に対太陽光層３を施工する場合でも、透明板２の室内側に対太陽光層３を施工する場合でも、大きな違いはないものである。
【００４１】
ステップ１００からスタートし、ステップ１０１では透明板２の室外側の表面又は透明板２の室内側の表面にペーパー状部材３１を取り付ける作業を行う。この場合に、透明板２は、例えばフロート板ガラスであり、スーパーマーケットやデパートメント等の建造物の側壁や天井等の開口部に既に装着されたもの等が該当する。また、ペーパー状部材３１は、薬液３２が未だ含浸される前の状態のものである。更に、ペーパー状部材３１は、透明板２に仮の状態で取り付けられれば良く、接着剤等により透明板２に接着されている必要はない。
【００４２】
次のステップ１０２では、ローラ器具５のローラ５１の表面に薬液３２を着ける作業を行う。このローラ５１を有するローラ器具５は公知のものであるので、その説明は省略する。もっとも、ステップ１０１にて透明板２にペーパー状部材３１を取り付ける前からローラ器具５のローラ５１の表面に薬液３２を着けていても良い。
【００４３】
ステップ１０２でローラ５１の表面に薬液３２が万遍なく且つ過不足なく着けられたらステップ１０３に進み、図７にも示されるように、この薬液３２が着いたローラ５１を、透明板２に取り付けられた状態のペーパー状部材３１に対し、図７の白抜き矢印α１及び矢印α２に示されるように上下方向に回転させながら押し付けることでローラ塗布作業を行う。このローラ塗布作業により、ローラ５１の表面に着けられていた薬液３２は、図７の矢印βに示されるように、ペーパー状部材３１内を浸入し、ペーパー状部材３１と透明板２との間に至る。
【００４４】
ローラ５１により塗布された薬液３２を乾かした後、ステップ１０５に進んで一連の作業が終了する。このように、薬液３２を乾かすことにより薬液３２は固体状になり、ペーパー状部材３１と透明板２との接着が行われる。
【００４５】
このような作業を行うことにより、熟練の者でなくても、均一な厚さの対太陽光層３を透明板２の室外側又は室内側の表面に形成することが可能となる。また、対太陽光層３の厚さも薬液３２の供給量やペーパー状部材３１の厚さを変更するのみで変えることが可能である。
【符号の説明】
【００４６】
１  対太陽光部材
２  透明板
３  対太陽光層
３１  ペーパー状部材
３２  薬液
５  ローラ器具
５１  ローラ
【図１】
0005993205.tif 000002
【図２】
0005993205.tif 000003
【図３】
0005993205.tif 000004
【図４】
0005993205.tif 000005
【図５】
0005993205.tif 000006
【図６】
0005993205.tif 000007
【図７】
0005993205.tif 000008